【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根のファン回転方向先端側羽根面のファン回転面に対する角度とファン回転方向後端側羽根面のファン回転面に対する角度とを略同一とすることを特徴とする燃焼式動力工具。
【請求項２】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根のファン回転方向先端側羽根面のファン回転面に対する角度をファン回転方向後端側羽根面のファン回転面に対する角度より大きくすることを特徴とする燃焼式動力工具。
【請求項３】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根のファン回転方向先端側羽根面のファン回転面に対する角度を１５度以上とすることを特徴とする燃焼式動力工具。
【請求項４】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根に羽根面の表面から裏面に貫く貫通孔を穿設したことを特徴とする燃焼式動力工具。
【請求項５】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根に突起物を付設したことを特徴とする燃焼式動力工具。
【請求項６】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根の縁部に折曲部分を備えたことを特徴とする燃焼式動力工具。
【請求項７】
ハウジングと、
該ハウジングの一端を覆い、燃料通路が形成されたヘッド部と、
該ハウジング内に固定して設けられたシリンダと、
該シリンダ内をピストン下室とピストン上室とに画成するピストンと、
該ヘッド部及び該ピストン上室と共に燃焼室を画成する燃焼室枠と、
該燃焼室内に回転可能に設けられモータにより回転するファンと、を備えた燃焼式動力工具において、
該ファンを形成する羽根の枚数が６枚以上であることを特徴とする燃焼式動力工具。
【請求項８】
該ファンを形成する羽根の枚数が８枚以下であることを特徴とする請求項７に記載の燃焼式動力工具。
【手続補正２】
【補正対象書類名】明細書
【補正対象項目名】０００６
【補正方法】変更
【補正の内容】
【０００６】
上記目的を達成するために、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根のファン回転方向先端側羽根面のファン回転面に対する角度とファン回転方向後端側羽根面のファン回転面に対する角度とを略同一とすることを特徴とする燃焼式動力工具を提供している。
【手続補正３】
【補正対象書類名】明細書
【補正対象項目名】０００７
【補正方法】変更
【補正の内容】
【０００７】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根のファン回転方向先端側羽根面のファン回転面に対する角度をファン回転方向後端側羽根面のファン回転面に対する角度より大きくすることを特徴とする燃焼式動力工具でもよい。
【手続補正４】
【補正対象書類名】明細書
【補正対象項目名】０００８
【補正方法】変更
【補正の内容】
【０００８】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根のファン回転方向先端側羽根面のファン回転面に対する角度を１５度以上とすることを特徴とする燃焼式動力工具でもよい。
【手続補正５】
【補正対象書類名】明細書
【補正対象項目名】０００９
【補正方法】変更
【補正の内容】
【０００９】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根に羽根面の表面から裏面に貫く貫通孔を穿設したことを特徴とする燃焼式動力工具でもよい。
【手続補正６】
【補正対象書類名】明細書
【補正対象項目名】００１０
【補正方法】変更
【補正の内容】
【００１０】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根に突起物を付設したことを特徴とする燃焼式動力工具でもよい。
【手続補正７】
【補正対象書類名】明細書
【補正対象項目名】００１１
【補正方法】変更
【補正の内容】
【００１１】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根の縁部に折曲部分を備えたことを特徴とする燃焼式動力工具でもよい。
【手続補正８】
【補正対象書類名】明細書
【補正対象項目名】００１２
【補正方法】変更
【補正の内容】
【００１２】
また、ハウジングと、該ハウジングの一端を覆い、燃料通路が形成されたヘッド部と、該ハウジング内に固定して設けられたシリンダと、該シリンダ内をピストン下室とピストン上室とに画成するピストンと、該ヘッド部及び該ピストン上室と共に燃焼室を画成する燃焼室枠と、該燃焼室内に回転可能に設けられモータにより回転するファンと、を備えた燃焼式動力工具において、該ファンを形成する羽根の枚数が６枚以上でもよい。また、該ファンを形成する羽根の枚数が８枚以下でもよい。